【事件の表示】
　平成　３年特許願第２３０２７５号「配線器具」拒絶査定に対する審判事件〔平成　５年　３月１９日出願公開、特開平　５−　６８３１３、請求項の数（１）〕について、次のとおり審決する。
【結　論】
　原査定を取り消す。
　本願の発明は、特許すべきものとする。
【理　由】
　
１．手続の経緯・本願発明
　
　本願は、平成３年９月１０日の出願であって、その請求項１に係る発明は、平成１２年３月６日付けの手続補正書により補正された明細書又は図面に記載からみて、その特許請求の範囲の請求項１に記載された次のとおりのものである。
　
「略中央に開口部を有し造営面に固定される丸形のプレート枠と、プレート枠の開口部に着脱自在に装着される中枠と、この中枠の内側に着脱自在に装着されるスイッチと、プレート枠の前面側に装着されるリング状の化粧プレートと、化粧プレートの内側に配置されスイッチの前面側に装着されて該スイッチを操作する丸形のハンドルとを備え、ハンドルの外径を化粧プレートの内径よりやや小さくし、ハンドルの支持を兼ねた支点リブと、操作時にスイッチを押操作する作用点リブと、復帰時のストッパリブとをハンドルの背面に設け、上記中枠に係止爪を、プレート枠に係止爪を着脱自在に係止させる係止凹所を形成したことを特徴とする配線器具。」（以下、「本願発明」という。）
　
　
２．原査定の拒絶の理由の概要
　
　原査定の拒絶の理由の概要は、
「この出願の請求項１に係る発明は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。　　　　　　　　　　　　　　　　　　　　　　　　　
　　　　　　　　　　　　　　　 記　　　　　　　　　　　　　　　　　　
刊行物１：特開平１−１０３１１３号公報
刊行物２：実願平１−１１３２９３号（実開平３−５４３１２号）のマイクロフィルム
刊行物３：特開昭５７−２０２０２２号公報
刊行物４：実願平１−１４６７９号（実開平２−１０６９３２号）のマイクロフィルム
刊行物５：実願昭５９−３１６８４号（実開昭６０−１４７０３３号）のマイクロフィルム
」というものである。
　
　
３．刊行物に記載された事項
　
　原査定における拒絶の理由において引用された刊行物１には、以下の事項が記載、図示されている。
　
　「化粧プレート２０をプレート枠に着脱自在に取り付けることができる。」（２頁右下欄１６−１７行）、「本実施例は、上記実施例における枠本体を合成樹脂材で形成するとともに、その枠本体３０を係着するための係着手段をプレート枠２３に設けたものである。」（３頁右上欄１１−１４行）、「枠本体３０は、・・・二方向に対向する各高壁３２及び低壁３３には配線器具を装着するための固定側係止部３５及び可変側係止部３４を設けている。・・・可変側係止部３４には弾力性を付与し、これにより外方へたわみ可能に構成している。」 （３頁右上欄１５行−左下欄６行）、「上記両係止部３４，３５を設けた直角二方向と４５度をなす直角二方向の各辺には、外側へ突出する対をなす係合片４８を夫々設けているとともに、これらの係合片４８が係合する係合受部４９をプレート枠２３に設けている。プレート枠２３は、枠本体と同様に合成樹脂材によって形成しているとともに、中央部には枠本体３０の基部３１が貫通する八角孔２４を有し、その直角二方向に対向する四辺に上記係合受部４９を形成している。」（３頁右下欄２−１１行）、「上記配線器具としては、・・・コンセント４０，４１或いはスイッチ等のような各種の形態のものを適用することができる。」（３頁左下欄７−１０行）、「同図（ａ）に示したコンセント４０を取り付ける場合には、コンセント４０の一端に設けた係合凹部４２を固定側係止部３５の係止突出部３７に係合しつつ、可変側係止部３４を外方にたわませ、当該コンセントの他端に設けた係合凹部４３を係止突出部３６に係合する。」（第３頁左下欄１０−１５行）、「第５図に示す２５は、室内壁等壁に埋設した埋込ボックスにねじ止めする場合の長孔であり、・・・２６は、パネル壁に取り付ける場合のパネル壁ハサミ金具の係止孔である。」（３頁右下欄１２−１７行）、第１−６図。
　
　刊行物２には、配線器具の取付装置に関して、以下の事項が記載・図示されている。
　
　「本考案は、略中央部に前面を露出させて配線器具を着脱自在に装着する取付手段を有する円形のベースと、中空壁に穿設した円形の取付穴の前面側に配置し前面からねじを回動させて上記ベースとで壁板を挟持するはさみ金具とを備えたものである。」（２頁17行−３頁２行）、「ベース２の開口部４の両側の下面から弾性を有する係止辺９が一体に形成され、係止辺９に穿設した係止穴１０にスイッチ１の側面に突設した係合突起１１と係合させることで、スイッチ１をベース２に着脱自在に装着可能としている。」（４頁２０行−５頁５行）、「ベース２の前面に着脱自在に装着される化粧プレート１２も同様に円形に形成されており」（５頁５−７行）、第１−１１図。
　
　刊行物３には、自動復帰型の手動操作スイッチに関して、以下の事項が記載・図示されている。
　
　「第１図に示したスイッチは上記したミラー調節スイツチの一例である。このスイッチは、裏面の中央部に駆動杵３を直立させた扁平状の操作部材２がスイツチボデー１の表面に設けられ、更に、上記駆動杵３の先端部に連結されたスライドブロツク４がプリント基板よりなるターミナルベース５の上面を摺動するようになつている。」（２頁左上欄７−１３行）、「上記した操作部材２は駆動杵３の幹部に向かつて突き出た起状部１ａにより支持される」（２頁左上欄１４−１５行）、「上記のミラー調節スイツチは操作部材表面の四方位置のうちいずれかの位置を押圧操作してミラー調節が行われる。」（２頁右上欄７−９行）、「第２図はミラー調節スイツチの正面図であり・・・１０はスイツチボデー、この表面には手動操作部材１１が設けてある。図示するようにこの手動操作部材１１は正面円形の扁平板材であり、その裏面の中央がスイツチボデー１０の支持突起に支持されている。スイツチボデー１０は第５図に詳記した通り円形窪１０ａを有すると共にこの円形窪１０ａの中央に設けた中空の角形隆起部１０ｂを備えており、上記した支持突起１０ｃがこの隆起部１０ｂの上面に設けてある。なお、隆起部１０ｂは四方に窓穴１０ｄのある支持板１０ｅによりスイツチボデー１０に固定されている。上記手動操作部材１１はその裏面の中央に支持凹部１１ａが形成してあり、上記した支持突起１０ｃをこの支持凹部１１ａに嵌入させるようになして当該操作部材１１を搖動自在に支持させる。」（３頁左下欄６行−右下欄３行）、「手動操作部材１１の裏面には四方位置より直立させた４本の支持腕１１ｂが第６図に示すように設けてあり・・・・旋回動部材１２を固定させるものである。」（３頁右下欄４−１０行）、「旋回動部材１２の駆動杵部１２ｂは・・・スライドブロツク１８を摺動駆動するように連結してある。」（４頁左上欄１３−１５行）、第１−９図。
　
　刊行物４には、パワーシートのスイッチに関して、以下の事項が記載・図示されている。
　
　「本考案は、リクライニング調整、スライド位置調整、前側および後側へのチルト調整さらには高さ調整を電動で行うパワーシートのスイッチに関する。」（１頁１７−２０行）、「本考案のパワーシートのスイッチは、全体が円形に形成され、回転操作でシートのリクライング調整を指令し、前後移動操作でシートの前後方向のスライド調整を指令するようにパワーシートの側面に取り付けられており、前記シートの前側チルト調整をプッシュ操作で指令する前側チルトスイッチ部とシートの後側チルト調整をプッシュ操作で指令する後側チルトスイッチ部とがそれぞれのチルト部位に相応するように区分けして設けられてることを特徴とする。」（３頁２０行−第４頁９行）、「スイッチ１は全体が・・・回転操作となっていると共に、前後方向に移動操作可能となっており、これらの操作はパワーシートの動力源に連動している。」（５頁１−５行）、「４および５はスイッチ内に区分けして設けられた扇状のチルトスイッチ部であり、チルトスイッチ部４はシートクッションの前側チルト調整を指令し、チルトスイッチ部５は後側チルト調整を指令するようにシートの動力源と連動している。」（５頁１４−１９行）、「この実施例はチルトスイッチ部４，５が半円形状となって、手の平との接触面積が大きくなっているため、チルト調整をより確実に行うことができる。」（７頁８−１１行）、第１−６図。
　
　刊行物５には、スイッチを操作するための操作釦装置に関して、以下の事項が記載・図示されている。
　
　「特に一般にきわめてストロークの小さいタクトスイッチ等を操作する操作釦装置の改良に関するものである。」（２頁１−３行）、「第４図において、・・・キャビネット１内の基板２上にはタクトスイッチ３が配され、タクトスイッチ３とキャビネット１との間には、操作釦６が前記タクトスイッチ３の操作子３ａとその略中央部に位置せしめるとともに、キャビネット１に形成された開口より外方へと臨んだ状態で配されており、これを外方から押圧することによってタクトスイッチ３を操作できるようになっている。」（５頁１９行−６頁８行）、「操作釦６の周辺には、開口部１ａ近傍におけるキャビネット裏面に係合可能なリブ６ａ，６ｂが形成されている。」（６頁９−１１行）、「操作釦６の端部Ａ点を押圧した場合には、Ａ点とタクトスイッチ３に対して反対側となるＢ点側のリブ６ｂがキャビネット１裏面に当接して支点となり、操作釦がその支点を中心として反時計回りに回動した状態となり、その略中央に位置するタクトスイッチ３の操作子３ａに押圧力Ｆを加えることができる。」（６頁１３−１９行）、「操作釦の端部を押圧した場合には、他端側のリブが支点となって回動し、タクトスイッチに押圧ストロークを加えることができる」（８頁１０−１３行）、第１−６図。
　
　
４．特許法第２９条第２項について
　
　刊行物１に記載された発明において、「枠本体３０」に対する「スイッチ」の装着構造に関して、その材質や係止構造からみて、「スイッチ」が「枠本体」に着脱自在に装着され、また、「プレート枠２３」に対する「枠本体３０」の装着構造に関して、その材質や係着構造からみて、「枠本体」が「プレート枠」に着脱自在に装着されていると解され、刊行物１に記載された「枠本体３０」は、本願発明の「中枠」に相当し、また、枠本体に形成された「係合片（４８）」や、第５図において凹部として図示され係合片４８を係合するプレート枠に形成された「係合受部（４９）」は、技術的には、本願発明の、中枠に形成された「係止爪」、係止爪を係止させるプレート枠に形成された「係止凹所」に、それぞれ相当することから、両者は、
「略中央に開口部を有し造営面に固定される丸形のプレート枠と、プレート枠の開口部に着脱自在に装着される中枠と、この中枠の内側に着脱自在に装着されるスイッチと、プレート枠の前面側に装着される化粧プレートと、上記中枠に係止爪を、プレート枠に係止爪を着脱自在に係止させる係止凹所を形成したことを特徴とする配線器具。」である点で一致し、以下の点で相違している。
　
（相違点）
　本願発明においては、（１）化粧プレートの内側に配置されスイッチの前面側に装着されて該スイッチを操作する丸形のハンドルを備えるとともに、（２）ハンドルの支持を兼ねた支点リブと、操作時にスイッチを押操作する作用点リブと、復帰時のストッパリブとをハンドルの背面に設け、（３）プレート枠の前面側に装着される化粧プレートがリング状であって、（４）ハンドルの外径を化粧プレートの内径よりやや小さく、した構成を有しているのに対して、刊行物１に記載された発明においては、これらの（１）〜（４）の点について記載されていない点。
　
　上記（相違点）のうち、まず、（２）の点について検討する。
　
　刊行物５には、本願発明の「ハンドル」に相当する「操作釦（４）」の裏面に、操作時に支点として機能する支点リブ（６ａ，６ｂ）、及び、操作時にスイッチを押操作する作用点リブが設けられている点で、本願発明の配線器具に関連する事項が記載されてはいるものの、操作釦（４）の支持を支点リブ（６ａ，６ｂ）によって行うことは記載されておらず、また、操作釦（４）の復帰時におけるキャビネット（１）とリブ（６ａ，６ｂ）との間の関係についても記載されていない。
　したがって、刊行物５には、上記（相違点）の（２）に係る、ハンドルの支持を兼ねた支点リブや、復帰時のストッパリブをハンドルの背面に設けることについては、記載されておらず、また、示唆もされていない。
　
　刊行物２には、ベース・化粧プレート・スイッチを備えた配線器具が記載されているだけであり、上記（相違点）の（２）に係る構成については、全く記載されておらず、また、示唆もされていない。
　
　刊行物３には、自動復帰型の手動操作スイッチにおいて、丸型の操作部材（２，１１）を用いる点、および、操作部材（２，１１）をスイッチボデー（１，１０）の前面側に装着する点で、本願発明の配線器具に関連する事項が記載されてはいるものの、操作部材（２，１１）の裏面の構成については、裏面に、スライドブロック（４，１８）を摺動駆動する駆動杵（３），支持腕（１１ｂ）を設けることしか記載されておらず、上記（相違点）の（２）に係る構成については、記載されておらず、また、示唆もされていない。
　
　刊行物４には、本願発明のハンドルに相当するスイッチ（１）を丸型とした点で、本願発明に関連する事項が記載されてはいるものの、スイッチ（１）の裏面の構造についての記載はなく、上記（相違点）の（２）に係る構成に関しては、全く記載されておらず、また、示唆もされていない。
　
　本願発明は、この相違点及び他の相違点に係る構成により、明細書記載の作用・効果を有するものであって、本願発明は、刊行物１−５に記載された発明に基いて、当業者が容易に発明をすることができたものであるということはできない。
　
　
５．むすび
　
　したがって、本願については、原査定の拒絶理由を検討してもその理由によって拒絶すべきものとすることはできない。
　また、他に本願を拒絶すべき理由を発見しない。
　よって、結論のとおり審決する。